(57)【特許請求の範囲】
【請求項１】
サンゴ礫を堆積させ陸化する方法であって、
サンゴ礫を捕捉可能な複数の開口を有する面状の捕捉部を水底から立ち上がるように備える透過性構造物を、水塊が前記面状の捕捉部の複数の開口を通過可能な方向に設置し、
水塊が前記捕捉部の複数の開口を通過するとき前記捕捉部が前記水塊中のサンゴ礫を捕捉し、
前記捕捉されたサンゴ礫を前記捕捉部の前面側に堆積させるサンゴ礫堆積による陸化方法。
【請求項２】
前記捕捉部が前記水塊の移動方向に対しほぼ直交するように設置される請求項１に記載のサンゴ礫堆積による陸化方法。
【請求項３】
前記透過性構造物の設置予定位置周辺に存在するサンゴ礫を採取し、
前記採取したサンゴ礫の長手寸法および短手寸法を計測し、
前記計測結果から平均的な寸法を算出し、
前記平均的な寸法に基づいて前記開口のサイズを設定する請求項１または２に記載のサンゴ礫堆積による陸化方法。
【請求項４】
サンゴ礫を堆積させ陸化するための透過性構造物であって、
サンゴ礫を捕捉可能な複数の開口を有する面状の捕捉部を水底から立ち上がるように備え、
前記開口のサイズは、前記サンゴ礫の平均的な寸法の長手寸法以下および短手寸法以上であり、
水塊が前記面状の捕捉部の複数の開口を通過可能な方向に設置され、
水塊が前記捕捉部の複数の開口を通過するとき前記捕捉部が前記水塊中のサンゴ礫を捕捉し、
前記捕捉されたサンゴ礫を前記捕捉部の前面側に堆積させるための透過性構造物。
【請求項５】
サンゴ礫を堆積させ陸化するための構造体であって、
請求項４に記載の透過性構造物を複数備える構造体。
【発明の詳細な説明】
【技術分野】
【０００１】
本発明は、サンゴ礫を堆積させ陸化する方法、そのための透過構造物および構造体に関する。
【背景技術】
【０００２】
日本の領海や排他的経済水域（ＥＥＺ）の基点となっている離島は約５００に上るが、水底資源や水産資源の保護のために離島の保全・管理の強化が必要とされている。離島においてはサンゴ礁が島の周りを取り囲むなど、サンゴ礁の保全、活用の必要性が認識されている。たとえば、特許文献１，２はサンゴ礁の移設、特許文献３，４はサンゴ礁の増殖、特許文献５はサンゴの育成・保護、特許文献６はサンゴ礫断片の飛散防止、および、特許文献７はサンゴ育成構造体の構築などの技術をそれぞれ提案する。
【先行技術文献】
【特許文献】
【０００３】
【特許文献１】特開2011-125293号公報
【特許文献２】特開2006-158218号公報
【特許文献３】特開2008-141979号公報
【特許文献４】特開2011-125347号公報
【特許文献５】特開2014-212704号公報
【特許文献６】特開2014-212702号公報
【特許文献７】特開2013-165693号公報
【発明の概要】
【発明が解決しようとする課題】
【０００４】
サンゴ礁が卓越する離島付近では、死滅したサンゴが砂礫となり、気海象条件などにより、サンゴ礫が島を形成し、陸地化している箇所がある。また、海岸侵食が卓越している地点では海岸保全を目的に、石材やブロックなどで形成される離岸堤が建設されることがあるが、離岸堤背後の砂浜は回復することがあるものの、離岸堤周辺は洗掘されることが多い。また、離島の保全は現在の島の管理はもちろん、周辺のサンゴ礫が水面上まで堆積して陸地している箇所の保全に加え、新たにサンゴ礫を用いて陸地を形成することができれば、国土保全に資することができる。
【０００５】
サンゴに関しては複数の技術が特許文献１〜７のように提案されているものの、サンゴ礫を用いて陸地化する技術に関してはいまだ提案はない。すなわち、特許文献１〜５は生存しているサンゴの移設、増殖、保護を目的としているが、サンゴは水面下のみで生息するため、これらの方法では陸地化することは難しい。また、特許文献６の方法は水底に堆積したサンゴ礫の飛散防止に過ぎず、これによる堆積効果は期待できない。また、特許文献７の構造体・方法は、網目状で全面が略閉塞される籠体の中にサンゴ石灰石を収納することでサンゴ育成体を提供するもので、堆積を促進するものではない。さらに、自然界ではサンゴ礫で陸地化することはあるが、意図した場所にサンゴ礫を用いて陸地を形成する技術は未だない。
【０００６】
本発明は、上述のような従来技術の問題に鑑み、サンゴ礫堆積による陸化方法、そのための透過構造物および構造体を提供することを目的とする。
【課題を解決するための手段】
【０００７】
上記目的を達成するためのサンゴ礫堆積による陸化方法は、サンゴ礫を堆積させ陸化する方法であって、サンゴ礫を捕捉可能な複数の開口を有する面状の捕捉部を水底から立ち上がるように備える透過性構造物を、水塊が前記面状の捕捉部の複数の開口を通過可能な方向に設置し、水塊が前記捕捉部の複数の開口を通過するとき前記捕捉部が前記水塊中のサンゴ礫を捕捉し、前記捕捉されたサンゴ礫を前記捕捉部の前面側に堆積させる。
【０００８】
このサンゴ礫堆積による陸化方法によれば、透過性構造物は、波や潮流などにより移動する水塊を透過する一方、水塊の移動に伴い移動するサンゴ礫を捕捉することができる。この捕捉されたサンゴ礫は堆積し、ある程度の堆積厚になるまでサンゴ礫内の透過性により水塊は作用し続け、引き続きサンゴ礫は移動し堆積する。そして、サンゴ礫の堆積厚が増加して透過性が低下すると、堆積したサンゴ礫が新しい水底地盤となって、水塊はより高い位置まで移動し、その結果、サンゴ礫は順次、高い位置まで堆積する。このようにして、サンゴ礫の堆積が続くことで、堆積したサンゴ礫により陸化が実現する。
【０００９】
上記サンゴ礫堆積による陸化方法において、前記捕捉部が前記水塊の移動方向に対しほぼ直交するように設置されることが好ましい。これにより、サンゴ礫を効率的に捕捉し堆積させることができる。
【００１０】
また、前記透過性構造物の設置予定位置周辺に存在するサンゴ礫を採取し、前記採取したサンゴ礫の長手方向の寸法および短手方向の寸法を計測し、前記計測結果から平均的な寸法を算出し、前記平均的な寸法に基づいて前記開口のサイズを設定することが好ましい。実際のサンゴ礫に近似した平均的な寸法を得ることができ、サンゴ礫のより効率的な捕捉が可能となる。
【００１１】
なお、前記開口のサイズを前記平均的な寸法の長手寸法以下および短手寸法以上に設定することが好ましい。
【００１２】
上記目的を達成するための透過性構造物は、サンゴ礫を堆積させ陸化するための透過性構造物であって、サンゴ礫を捕捉可能な複数の開口を有する面状の捕捉部を水底から立ち上がるように備え、前記開口のサイズは、前記サンゴ礫の平均的な寸法の長手寸法以下および短手寸法以上であり、水塊が前記面状の捕捉部の複数の開口を通過可能な方向に設置され、水塊が前記捕捉部の複数の開口を通過するとき前記捕捉部が前記水塊中のサンゴ礫を捕捉し、前記捕捉されたサンゴ礫を前記捕捉部の前面側に堆積させるためのものである。
【００１３】
この透過性構造物によれば、波や潮流などにより移動する水塊を透過する一方、水塊の移動に伴い移動するサンゴ礫を捕捉することができる。この捕捉されたサンゴ礫は堆積し、ある程度の堆積厚になるまでサンゴ礫内の透過性により水塊は作用し続け、引き続きサンゴ礫は移動し堆積する。そして、サンゴ礫の堆積厚が増加して透過性が低下すると、堆積したサンゴ礫が新しい水底地盤となって、水塊はより高い位置まで移動し、その結果、サンゴ礫は順次、高い位置まで堆積する。このようにして、サンゴ礫の堆積が続くことで、堆積したサンゴ礫により陸化が実現する。
【００１４】
なお、天端高さを順に変えた複数の前記捕捉部を所定間隔で配置するようにしてもよい。
【００１５】
また、上記サンゴ礫の平均的な寸法とは、たとえば、上述の平均的な寸法や過去のデータ等から得られた寸法であってよい。
【００１６】
上記目的を達成するための構造体は、サンゴ礫を堆積させ陸化するための構造体であって、上述の透過性構造物を複数備える。
【００１７】
この構造体によれば、複数の透過性構造物を設置することで、より広い範囲でサンゴ礫の堆積による陸化が期待できる。
【００１８】
上記構造体としての第１の構造体は、サンゴ礫を堆積させ陸化するための構造体であって、上述の透過性構造物を複数備え、前記複数の透過性構造物が横方向に一列に並べられて設置されたものである。この構造体によれば、より幅広い範囲でサンゴ礫の堆積による陸化が期待できる。
【００１９】
同じく第２の構造体は、サンゴ礫を堆積させ陸化するための構造体であって、上述の透過性構造物を複数備え、前記複数の透過性構造物が前記水塊の移動方向に離れて設置されたものである。この構造体によれば、透過性構造物を単独または複数一列で設置した場合、水塊の移動方向が一様であれば堆積が促進されるが、期間により水塊の移動が逆方向となった場合、堆積したサンゴ礫が破壊されることが予想される。そこで、複数の透過性構造物を水塊の移動方向に離して設置することで、水塊の移動が逆方向となったとしても、各透過性構造物の間の空間でサンゴ礫の捕捉が可能となる。
【００２０】
同じく第３の構造体は、サンゴ礫を堆積させ陸化するための構造体であって、上述の透過性構造物を複数備え、複数の前記透過性構造物が横方向に一列に並べて設置され、さらに複数の前記透過性構造物が前記水塊の移動方向に離れて横方向に一列に並べて設置されるようにして、複数列が前記移動方向に離れて設置されたものである。この構造体によれば、より幅広い範囲でサンゴ礫の堆積による陸化が期待できるとともに、水塊の移動が逆方向となったとしても、各列の間の空間でサンゴ礫の捕捉が可能となる。
【００２１】
上記第２，第３の構造体において、前記移動方向に離れて設置された前記透過性構造物は、それらの天端高さが前記移動方向の上流側から下流側に向けて順次に高くなるように構成されることが好ましい。水塊の移動方向の上流側では天端高さを低くし、移動方向下流側になるにつれて天端高さを高くすることで、水塊の移動が逆方向となったとしても、各透過性構造物の間の空間におけるサンゴ礫の捕捉がいっそう効率的になる。
【００２２】
同じく第４の構造体は、サンゴ礫を堆積させ陸化するための構造体であって、上述の透過性構造物を複数備え、複数の前記透過性構造物が一領域を包囲するように設置され、さらに複数の前記透過性構造物が、前記一領域を包囲する前記複数の透過性構造物を包囲するように設置されたものである。かかる構造体の平面的設置形状例として、たとえば、同心円状、正方形状、長方形状、多角形状、長円形状などがある。
【００２３】
上記第４の構造体において、前記各透過性構造物は、それらの天端高さが前記一領域のある内側から外側に向けて順次に低くなるように構成されることが好ましい。
【００２４】
上記各構造体において、前記透過性構造物が移動しないように水底に対し固定されることが好ましい。
【発明の効果】
【００２５】
本発明によれば、サンゴ礫堆積による陸化方法、そのための透過構造物および構造体を提供することができる。
【図面の簡単な説明】
【００２６】
【図１】第１の実施形態による透過性構造物の基本的構成を示す斜視図である。
【図２】水底に設置された図１の透過性構造物１０の側面図で、サンゴ礫が捕捉され堆積する過程（ａ）〜（ｄ）を概略的に示す。
【図３】第２の実施形態による透過性構造物を概略的に示す側面図である。
【図４】図１の透過性構造物を単独で設置した場合の問題点を説明するための透過性構造物の側面図（ａ）（ｂ）である。
【図５】第２の実施形態の別の例による構造体を概略的に示す側面図である。
【図６】第３の実施形態による構造体を概略的に示す斜視図である。
【図７】第３の実施形態の別の例による構造体を概略的に示す斜視図である。
【図８】第４の実施形態による構造体を概略的に示す平面図（ａ）およびVIIIB-VIIIB線方向に切断して見た図（ｂ）である。
【図９】第４の実施形態による作用効果を説明するための概略的な平面図である。
【図１０】図２と同様の側面図で、透過性構造物１０の天端高さが水面高よりも低い場合にサンゴ礫が捕捉され堆積する過程（ａ）〜（ｅ）を概略的に示す。
【図１１】第１実施形態の別の第１例による透過性構造物の基本的構成を示す斜視図である。
【図１２】第１実施形態の別の第２例による透過性構造物の基本的構成を示す斜視図である。
【図１３】第３実施形態のさらに別の例による構造体を概略的に示す斜視図である。
【図１４】第１実施形態のさらに別の複数の透過性構造物を図６と同様に並べた構造体を概略的に示す斜視図である。
【図１５】図１４と同様の湾曲部を有する別の複数の透過性構造物を図１３と同様に並べた別の構造体を概略的に示す斜視図である。
【発明を実施するための形態】
【００２７】
以下、本発明を実施するための形態について図面を用いて説明する。
【００２８】
［第１の実施形態］
図１は第１の実施形態による透過性構造物の基本的構成を示す斜視図である。なお、図１等では、開口やサンゴ礫は、説明の便宜上、誇張して示されている。
【００２９】
図１に示すように、本実施形態による透過性構造物１０は、底板部１１と、底板部１１にほぼ垂直に設けられた垂直部１２と、を備える。垂直部１２は、捕捉部として平面状乃至平板状に構成され、平面に多数の開口１３が形成されている。
【００３０】
開口１３のサイズは、サンゴ礫の代表寸法の長手寸法以下、短手寸法以上とする。これにより、垂直部１２に設けられた多数の開口１３により、水塊を通過させながらサンゴ礫を効率的に捕捉することができる。ここで、代表寸法とは、透過性構造物１０の設置予定位置周辺に存在するサンゴ礫を採取して長手方向および短手方向の寸法を計測し、統計的処理により算出した平均的な長手方向の長さ、短手方向の長さとする。なお、たとえば、サンゴ礫の寸法に関する過去のデータ等に基づいて開口のサイズを設定するようにしてもよい。
【００３１】
垂直部１２は、たとえば、平板状のメッシュ部材を設けて構成することができ、多数の開口１３は、メッシュ部材のメッシュから構成され、開口１３のサイズは、メッシュ部材のメッシュサイズに対応する。上記例では、メッシュサイズは、サンゴ礫の平均的寸法の長手寸法以下で短手寸法以上のものが選択される。
【００３２】
図１の透過性構造物１０は、底板部１１が水平になるように水底Ｇに設置され、多数の開口１３を有する垂直部１２が鉛直方向に立つ。このとき、垂直部１２は、その平面が波や潮流などの水塊の移動方向ｘに直交するように位置決められる。また、透過性構造物１０は、移動しないように底板部１１でアンカー等の固定手段（図示省略）により水底Ｇに固定される。
【００３３】
次に、図１の透過性構造物１０の作用効果について図２を参照して説明する。図２は、水底に設置された図１の透過性構造物１０の側面図で、サンゴ礫が捕捉され堆積する過程（ａ）〜（ｄ）を概略的に示す。
【００３４】
図２（ａ）のように、波や潮流などにより移動する水塊が透過性構造物１０の垂直部１２にほぼ直交するように移動方向ｘに流れ、多数の開口１３を透過する。かかる水塊の移動に伴い水中を移動したサンゴ礫１が多数の開口１３で捕捉され、図２（ｂ）のように、捕捉されたサンゴ礫１が底板部１１やその周囲に堆積をはじめ、ある程度の堆積厚になるまで、堆積したサンゴ礫の透過性により、水塊は多数の開口１３に作用し続け、引き続きサンゴ礫１は、水塊とともに移動し、多数の開口１３に捕捉され堆積し続ける。
【００３５】
図２（ｃ）のように、サンゴ礫１の堆積厚が増加し、堆積したサンゴ礫１がサンゴ礫堆積物２となって、その透過性が低下すると、サンゴ礫堆積物２が新しい水底地盤となって、水塊の流れる高さがサンゴ礫堆積物２の上面よりも高い位置になる。その結果、サンゴ礫１は順次、より高い位置へと堆積し、サンゴ礫堆積物２の上面が上昇することとなる。
【００３６】
図２（ｄ）のように、サンゴ礫１の堆積が進むと、サンゴ礫堆積物２の上面がしだいに高くなるとともに、サンゴ礫堆積物２の下部が幅広で上部が幅狭となる前浜勾配が形成され、このため、水塊の移動方向がしだいに斜め上方の方向ｘ’に変化する一方、透過性構造物１０の天端が水面上よりも高い位置にある場合には、サンゴ礫１は水面上にまで打ち上げられて堆積し、その結果、サンゴ礫堆積物２の上面が水面から露出するようになる。
【００３７】
すなわち、サンゴ礫堆積物２は、波により発生する岸沖方向の堆積作用と浸食作用がつりあう前浜勾配を形成しながら、サンゴ礫１は水面上まで堆積することが可能となる。なお、前浜勾配は、通常の砂浜では、高波浪時に前浜勾配はゆるくなり、静穏になると前浜勾配は急になることが知られている。つまり、来襲波の特性に応じて、海岸地形がより安定した形状に移行する。このときの岸沖方向の海岸の勾配が前浜勾配と言われる。また、前浜勾配は底質の粒形によっても異なる。
【００３８】
以上のようにして、本実施形態によれば、透過性構造物１０を設置した領域において、水中を水塊とともに移動するサンゴ礫１を捕捉し堆積させることで陸地化を図ることができる。すなわち、透過性構造物１０を設置するのみで、自然の外力を活用することによりサンゴ礫１による陸地化が促進され、離島の保全が図られる。
【００３９】
また、図２（ａ）〜（ｄ）のように、透過性構造物１０の天端高さＨ（図１）が水面高よりも高い場合、透過構造物１０の天端が水面上よりも高い位置にあることで、サンゴ礫が水面上まで打ち上げられ堆積するので、サンゴ礫の堆積による陸化がいっそう実現し易くなる。
【００４０】
また、透過性構造物１０の天端高さが水面高よりも低い場合の堆積について図１０を参照して説明する。図１０は、図２と同様の側面図で、透過性構造物１０の天端高さが水面高よりも低い場合にサンゴ礫が捕捉され堆積する過程（ａ）〜（ｅ）を概略的に示す。
【００４１】
図１０（ａ）〜（ｄ）に示すように、当初は図２（ａ）〜（ｃ）と同様にサンゴ礫１が透過性構造物１０の前面に堆積し、図２（ｄ）と同様にサンゴ礫堆積物２の上面が透過性構造物１０の天端まで達した後に、図１０（ｅ）のようにサンゴ礫１が透過性構造物１０の上部を越えて透過性構造物１０の背面に堆積しサンゴ礫堆積物２’が形成され、その後、図１０（ｆ）のように透過性構造物１０の背面側においてサンゴ礫１の堆積が進行する。このように、サンゴ礫１の堆積による陸化がいっそう実現し易くなる。
【００４２】
なお、図２の場合も、図２（ｄ）のように、サンゴ礫堆積物２の上面が透過性構造物１０の天端まで達した後にさらにサンゴ礫１が堆積を続ける一方、図１０（ｅ）（ｆ）と同様にして透過性構造物１０の背面側においてもサンゴ礫１の堆積が進行する。
【００４３】
本実施形態の作用効果をさらに説明する。仮に、図１のような透過性構造物ではなく、不透過性構造物を設置した場合、不透過性構造物の周辺が洗掘されることとなり、堆積とはまったく逆効果で、逆の結果となる。
【００４４】
また、砂を対象とした場合、粒径が小さいため、砂を捕捉する透過性構造物の開口が小さくなり、これにより水塊の移動が阻害されてしまう。その結果、不透過性構造物を設置したケースに似た現象が生じることとなり、砂を対象とする透過性構造物の前面に砂が堆積することは無く、本実施形態のような堆積効果が成立しない。
【００４５】
次に、本実施形態による別の二例について図１１，図１２を参照して説明する。図１１は本実施形態の別の第１例による透過性構造物の基本的構成を示す斜視図である。図１２は本実施形態の別の第２例による透過性構造物の基本的構成を示す斜視図である。
【００４６】
図１１のように、透過性構造物１６は、図１の底板部１１を省略し、垂直部１２の両端の下端で垂直部１２に対し直交して張り出すように支持部材１４，１４を設けたものである。垂直部１２はその両端の下端において、垂直部１２の前後に延びた支持部材１４，１４により支持される。なお、透過性構造物１６は支持部材１４，１４でアンカー等の固定手段（図示省略）により水底に固定される。
【００４７】
図１２のように、透過性構造物１７は、図１の底板部１１を省略し、鉛直杭１５，１５を設置位置の水底に打設し、垂直部１２をその両端で鉛直杭１５，１５に固定し支持するようにしたものである。図１２の例では、アンカー等の固定手段は不要となる。
【００４８】
［第２の実施形態］
図３は第２の実施形態による透過性構造物を概略的に示す側面図である。図４は図１の透過性構造物を単独で設置した場合の問題点を説明するための側面図（ａ）（ｂ）である。
【００４９】
図３（ａ）（ｂ）の透過性構造物２０は、図１と同様の構成であるが、底板部２５に所定間隔で複数の垂直部２１，２２，２３，２４を設けた点が相違する。各垂直部２１，２２，２３，２４は、この順で天端高さが低く構成され、それぞれ図１と同様に多数の開口を有する。
【００５０】
図３（ａ）のように、透過性構造物２０は、水塊の通常の移動が移動方向ｘである場合、移動方向ｘの上流側に天端高さの低い垂直部２４を配置し、移動方向ｘの下流側に向けて順に天端高さの高い垂直部２３，２２，２１を配置している。
【００５１】
ここで、図１の透過性構造物１０を単独で設置した場合の問題点について説明する。図４（ａ）のように水塊の移動方向ｘが一様であれば、サンゴ礫１の堆積が促進される。しかし、図４（ｂ）のように、期間により水塊の移動方向が逆方向axとなった場合、その水塊の移動により、それまでの間に堆積したサンゴ礫が破壊されてしまうおそれがある。
【００５２】
上記問題に対し、本実施形態によれば、複数の垂直部２４，２３，２２，２１を、水塊の移動方向ｘの上流側については天端高さを低くし、移動方向ｘの下流側につれて天端高さを高くするようにして配置することで、図３（ｂ）のように、水塊の移動が移動方向ｘに対し逆方向axになったとしても、複数の垂直部２１〜２４がそれぞれ隣り合う各空間でサンゴ礫の捕捉・堆積が可能となるとともに、水塊が移動方向ｘに移動して堆積したサンゴ礫が移動して破壊されてしまうことを防止できる。
【００５３】
図５は、本実施形態の別の例による構造体を概略的に示す側面図である。図５の構造体３０は、複数の透過性構造物１０Ａ，１０Ｂ，１０Ｃ，１０Ｄから構成され、複数の透過性構造物１０Ａ〜１０Ｄを水底に水塊の移動方向ｘに並べたものである。各透過性構造物１０Ａ〜１０Ｄは、図１の透過性構造物１０と基本的構成は同一であるが、それらの垂直部１２ａ，１２ｂ，１２ｃ，１２ｄはそれらの天端高さが順に低く構成され、それぞれ図１と同様に多数の開口を有する。
【００５４】
図５の構造体３０によれば、各透過性構造物１０Ａ〜１０Ｄを、水塊の移動方向ｘに対し下流側から垂直部１２ａ，１２ｂ，１２ｃ，１２ｄの天端高さが順に低くなるように設置することで、図３（ａ）（ｂ）の複数の垂直部を有する透過性構造物２０と同様の作用効果を得ることができ、水塊の移動が移動方向ｘに対し逆方向になったとしても、複数の透過性構造物１０Ａ〜１０Ｄの各垂直部１２ａ〜１２ｄがそれぞれ隣り合う各空間でサンゴ礫の捕捉・堆積が可能となるとともに、水塊が移動方向ｘに移動して堆積したサンゴ礫が移動して破壊されてしまうことを防止できる。
【００５５】
なお、図３，図５において、透過性構造物の各垂直部間の間隔は、サンゴ礫の堆積と堆積したサンゴ礫の破壊防止とが効率的に実現できるように適宜設定されることが好ましい。
【００５６】
［第３の実施形態］
図６は、第３の実施形態による構造体を概略的に示す斜視図である。図６の構造体４０は、複数の透過性構造物１０から構成され、複数の透過性構造物１０を水底Ｇに水塊の移動方向ｘに対し直交するように横方向に一列に並べて設置したものである。各透過性構造物１０は、図１と同様の構成を有し、各垂直部１２はそれぞれ多数の開口１３を有する。図６の構造体４０によれば、複数の透過性構造物１０を横方向に一列に並べることで、幅広い範囲においてサンゴ礫の捕捉・堆積が期待できる。
【００５７】
図７は、本実施形態の別の例による構造体を概略的に示す斜視図である。図７の構造体５０は、複数の透過性構造物１０Ａと複数の透過性構造物１０Ｂと複数の透過性構造物１０Ｃとから構成され、複数の透過性構造物１０Ａを水底Ｇに水塊の移動方向ｘに対し直交するように横方向に一列ａに並べ、複数の透過性構造物１０Ｂを同じく移動方向ｘに対し直交するように横方向に一列ｂに並べ、複数の透過性構造物１０Ｃを同じく移動方向ｘに対し直交するように横方向に一列ｃに並べて設置したものである。各透過性構造物１０Ａ〜１０Ｃは、図１の透過性構造物１０と基本的構成は同一であるが、それらの垂直部１２ａ，１２ｂ，１２ｃはそれらの天端高さが順に低くなっている。各垂直部１２ａ〜１２ｃはそれぞれ多数の開口１３を有する。
【００５８】
図７の構造体５０は、複数の透過性構造物１０Ａ〜１０Ｃの各列ａ〜ｃを水塊の移動方向ｘに並べたものである。各列ａ〜ｃの各透過性構造物１０Ａ〜１０Ｃを、水塊の移動方向ｘに対し下流側から垂直部１２ａ，１２ｂ，１２ｃの天端高さが順に低くなるように設置している。
【００５９】
図６の構造体４０は、複数の透過性構造物１０を横方向に一列に並べているだけであるので、水塊の移動方向が時期により逆方向に変化した場合、図４（ａ）（ｂ）で説明したのと同様の問題点を有しているが、図７の構造体５０によれば、図３，図５と同様の作用効果を得ることができ、水塊の移動が移動方向ｘに対し逆方向になったとしても、各列ａ〜ｃの各垂直部１２ａ〜１２ｃがそれぞれ隣り合う各空間でサンゴ礫の捕捉・堆積が可能となるとともに、水塊が移動方向ｘに移動して堆積したサンゴ礫が移動して破壊されてしまうことを防止できる。これにより、水塊の移動方向が時期により逆方向に変化する場合でも、幅広い範囲においてサンゴ礫の捕捉・堆積が期待できる。
【００６０】
次に、本実施形態によるさらに別の例について図１３を参照して説明する。図１３は本実施形態のさらに別の例による構造体を概略的に示す斜視図である。図１３の構造体７０は、図１２の鉛直杭１５を用いた複数の透過性構造物１７を、図６と同様に、水底に水塊の移動方向ｘに対し直交するように横方向に一列に並べて設置したものである。構造体７０では、隣り合う垂直部１２は共通の鉛直杭１５に固定され支持される。構造体７０によれば、図６と同様の効果を奏する。また、図１３の構造体７０を、図７と同様に配置し、垂直部の天端高さが順に低くなるように設置することで、図７と同様の効果を奏する。
【００６１】
なお、図１１の複数の透過性構造物１６を、図６と同様に設置してもよく、また、図７と同様に設置してもよい。
【００６２】
［第４の実施形態］
図８は、第４の実施形態による構造体を概略的に示す平面図（ａ）およびVIIIB-VIIIB線方向に切断して見た図（ｂ）である。図９は本実施形態による作用効果を説明するための概略的な平面図である。
【００６３】
図８（ａ）（ｂ）の構造体６０は、複数の構造体６１，６２，６３から構成され、構造体６１は、多数の透過性構造物６１Ａを、水底の一平面領域Ｍを包囲するように平面的に正方形状に配置して構成され、構造体６２は、多数の透過性構造物６２Ａを、構造体６１を包囲するように平面的に正方形状に配置して構成され、構造体６３は、多数の透過性構造物６３Ａを、構造体６２を包囲するように平面的に正方形状に配置して構成されている。
【００６４】
透過性構造物６１Ａ〜６３Ａは、図１の透過性構造物１０と基本的構成は同一であるが、図８（ｂ）のように、それらの垂直部６１ａ，６２ａ，６３ａはそれらの天端高さが内側から外側に向けて順に低くなっている。各垂直部６１ａ〜６３ａはそれぞれ図１と同様に多数の開口を有する。
【００６５】
図８の構造体６０によれば、サンゴ礫により堆積した周辺が局所的に水深が浅くなることで、図９のように、移動方向ｘからの波が屈折しその背後に集中し（波の屈折作用）、その結果、構造体６０の背面６５においてサンゴ礫が左右から移動し、かかる波の集中により背面６５側に形成された領域Ｎでサンゴ礫の堆積がいっそう促進される。これにより、サンゴ礫の捕捉・堆積による陸化が効率的に行われる。また、波や潮流などの水塊の移動方向が期間によって変化し複数方向から作用する地点に構造体６０を設置することで、サンゴ礫の捕捉・堆積が効率的に行われる。
【００６６】
なお、図８においては、多数の透過性構造物を平面的に正方形状に配置したが、これに限定されず、同心円状、長方形状、多角形状、長円形状などに配置してもよい。
【００６７】
以上のように本発明を実施するための形態について説明したが、本発明はこれらに限定されるものではなく、本発明の技術的思想の範囲内で各種の変形が可能である。たとえば、本実施形態の図１，図３の透過性構造物１０，２０を複数連続して設置することができるが、かかる設置は１箇所だけではなく、互いに離れた複数個所であってもよい。同様に、図５〜図８の構造体３０，４０，５０，６０を設置するのは１箇所だけではなく、互いに離れた複数個所であってもよい。
【００６８】
また、図３における複数の垂直部の数や図５における複数の透過性構造物の数や図７における複数の列の数は、図示された数に限定されず、必要に応じて増減できることはもちろんである。また、図６，図７における横方向に一列に並べられる透過性構造物の数も同様に必要に応じて増減できる。
【００６９】
また、図１，図１１，図１２では、複数の開口１３を有する捕捉部である垂直部１２は平板状に構成されるが、本発明はこれに限定されず、面状であればよく、面状の捕捉部としては、平板状のものや全面が平面状のもののみならず、たとえば、予めＶ字状や波形状のように変形した形状に構成されたものも含む。
【００７０】
また、捕捉部が、たとえば、鉄鋼材料からなる平板やエキスパンドメタル等から構成される場合は、ある程度の剛性があるため供用中も平面状をほぼ保つが、たとえば、樹脂材料や金網のような可撓性のある材料から平面状に構成される場合は、供用中は水塊の移動により湾曲状に変形する場合がある。
【００７１】
図１４に、複数の開口１３を有する捕捉部１２’が底板部１１上に設けられた透過性構造物１８を複数、図６と同様に、横方向に一列に並べた構造体８０を示す。また、図１５に、複数の鉛直杭１５を水底に打設し、鉛直杭１５に捕捉部１２’が固定され支持された透過性構造物１９を複数、図６と同様に、横方向に一列に並べた構造体９０を示す。図１４，図１５の各捕捉部１２’は、樹脂材料や金網等のような可撓性のある材料から構成され、設置時には平面状であり鉛直方向に立設されるが、供用中に水塊の移動によりその移動方向ｘに変形し凹状に湾曲することがある。
【００７２】
また、図１，図１１，図１２の垂直部１２、さらには、図１４，図１５の捕捉部１２’は、鉛直方向に立設されるが、本発明はこれに限定されず、水塊の移動方向に対し前後に傾斜していてもよい。すなわち、本発明において、複数の開口を有する面状の捕捉部は、全体が鉛直方向に対し傾斜していてもよい。
【００７３】
また、本明細書のサンゴ礫とは、サンゴ礁由来のもので、形状的には木の枝のような形状やテーブル状の形状のものが多い。
【産業上の利用可能性】
【００７４】
本発明によれば、サンゴ礫を堆積させて陸化を図る方法、そのために使用可能な透過構造物および構造体を提供できるので、新たな島を造成することが可能となる。
【符号の説明】
【００７５】
１ サンゴ礫
２ サンゴ礫堆積物
１０，１６，１７，１８，１９，２０ 透過性構造物
１０Ａ，１０Ｂ，１０Ｃ，１０Ｄ 透過性構造物
１１ 底板部
１２ 垂直部（捕捉部）
１２’ 捕捉部
１２ａ，１２ｂ，１２ｃ，１２ｄ 垂直部（捕捉部）
１３ 開口
２１，２２，２３，２４ 垂直部（捕捉部）
２５ 底板部
３０，４０，５０，６０，７０，８０，９０ 構造体
ａ〜c 一列
Ｇ 水底
Ｍ 一平面領域
ｘ 移動方向
ax 逆方向
【図１】
0006674220.tif 000002
【図２】
0006674220.tif 000003
【図３】
0006674220.tif 000004
【図４】
0006674220.tif 000005
【図５】
0006674220.tif 000006
【図６】
0006674220.tif 000007
【図７】
0006674220.tif 000008
【図８】
0006674220.tif 000009
【図９】
0006674220.tif 000010
【図１０】
0006674220.tif 000011
【図１１】
0006674220.tif 000012
【図１２】
0006674220.tif 000013
【図１３】
0006674220.tif 000014
【図１４】
0006674220.tif 000015
【図１５】
0006674220.tif 000016